(57)【要約】【課題】ヘッドとシャフトの組み合わせにおいて、軽量性を維持しながら、打球方向性および飛距離を向上させる。【解決手段】ヘッド１４の重心位置１４Ｇからシャフト軸線１８までの距離Ｌが３０ｍｍ以上４０ｍｍ未満であって、かつ、シャフト１１のヘッド側先端１２から長さ方向に４００ｍｍの位置までの捩れ剛性分布が１．２ｋｇ・ｍｍ２以上３．０ｋｇ・ｍｍ２未満であり、グリップ側後端１３から長さ方向に３００ｍｍの位置までの捩れ剛性分布が２．５ｋｇ・ｍｍ２以上３．５ｋｇ・ｍｍ２未満であるゴルフクラブ。【選択図】図５
2007135811.tif 000002
【特許請求の範囲】
【請求項１】
繊維強化樹脂製のシャフトにヘッドを取り付けたゴルフクラブであって、
前記ヘッドは、その重心位置からシャフト軸線までの距離が３０ｍｍ以上４０ｍｍ未満であり、
前記シャフトは、そのヘッド側先端から長さ方向に４００ｍｍの位置までの捩れ剛性を１．２ｋｇ・ｍｍ２以上３．０ｋｇ・ｍｍ２未満の範囲で分布させ、かつ、グリップ側後端から長さ方向に３００ｍｍの位置までの捩れ剛性を２．５ｋｇ・ｍｍ２以上３．５ｋｇ・ｍｍ２未満の範囲で分布させていることを特徴とするゴルフクラブ。
【請求項２】
繊維強化樹脂製のシャフトにヘッドを取り付けたゴルフクラブであって、
前記ヘッドは、その左右の慣性モーメントが３０００ｇ・ｃｍ２以上４５００ｇ・ｃｍ２未満であると共に、該ヘッドの体積が３８０ｃｃ以上４６０ｃｃ未満であり、
前記シャフトは、そのヘッド側先端から長さ方向に４００ｍｍの位置までの捩れ剛性を１．２ｋｇ・ｍｍ２以上３．０ｋｇ・ｍｍ２未満の範囲で分布させ、かつ、グリップ側後端から長さ方向に３００ｍｍの位置までの捩れ剛性を２．５ｋｇ・ｍｍ２以上３．５ｋｇ・ｍｍ２未満の範囲で分布させていることを特徴とするゴルフクラブ。
【請求項３】
繊維強化樹脂製のシャフトにヘッドを取り付けたゴルフクラブであって、
前記ヘッドは、その重心位置からシャフト軸線までの距離が３０ｍｍ以上４０ｍｍ未満で、該ヘッドの左右の慣性モーメントが３０００ｇ・ｃｍ２以上４５００ｇ・ｃｍ２未満で、かつ、該ヘッドの体積が３８０ｃｃ以上４６０ｃｃ未満であり、
前記シャフトは、そのヘッド側先端から長さ方向に４００ｍｍの位置までの捩れ剛性を１．２ｋｇ・ｍｍ２以上３．０ｋｇ・ｍｍ２未満の範囲で分布させ、かつ、グリップ側後端から長さ方向に３００ｍｍの位置までの捩れ剛性を２．５ｋｇ・ｍｍ２以上３．５ｋｇ・ｍｍ２未満の範囲で分布させていることを特徴とするゴルフクラブ。
【発明の詳細な説明】
【技術分野】
【０００１】
本発明は、ゴルフクラブに関し、特に、軽量性を維持しながら、打球方向性および飛距離の向上を図るものである。
【背景技術】
【０００２】
近年、打球の速度向上、安定性向上のため、ゴルフクラブシャフトは軽量化を図る傾向にある。そのため、ゴルフクラブシャフトの材料は、軽量で、比強度、比剛性の高いカーボンプリプレグ等の繊維強化樹脂が主流となっている。特に、カーボンシャフトは、カーボン繊維の弾性率、配向角度を調節することにより、剛性分布やトルク分布を多様に変更できる点に特徴がある。
【０００３】
一方、ヘッドについても、材料の進化によりチタン合金製ヘッドなどの軽量ヘッドが開発され、重量増加を抑制しながらヘッド体積を大きくすることが可能となったことから、ヘッドの大型化が進んでいる。大型ヘッドは、従来の体積の小さいヘッドに比べ、ヘッドの左右の慣性モーメントが増大し、インパクト時にヘッドが安定するため、打球方向性が安定すると共に、高反発エリアが拡大し、オフセンターで打つ可能性が低くなるため、飛距離ロスが減る点等に長所があり、最近の主流となっている。
【０００４】
しかしながら、近年のルール規定により、ヘッドの高反発化に上限が設けられ、さらなる飛距離増大が大変困難となっている。そこで、飛距離よりも方向性の良くゴルフクラブの開発が重要になってきており、打球が左右方向にブレて飛行することによる飛距離ロスを低減し、目的とする方向に真っすぐに飛ばすことができるような設計が必要になってきている。
この種の打球方向性の改善するための手法としては、一般に、シャフトの捩れ剛性や曲げ剛性を高め、スイング中のヘッドの軌道を安定させる方法が用いられている。
【０００５】
例えば、特開平８−１３１５８８号（特許文献１）では、図９に示すように、繊維の配向角をシャフト軸線に対して傾斜させたバイアス層２をシャフト１の外周側に配置することにより、シャフト１の捩れ剛性を高めると共に、前記バイアス層２の内周側に繊維の配向角をシャフト軸線に対して平行としたストレート層３を配置し、該ストレート層３の内周側に、繊維の配向角をシャフト軸線に対して直交させたフープ層４を配置することにより、ストレート層３がフープ層４に拘束され、シャフト１の曲げ剛性を効果的に高めることができるとしている。
【０００６】
また、特開平１１−７６４７９号（特許文献２）では、ゴルフクラブ長さ、ヘッドのネック長、シャフト先端部の曲げ剛性および捩れ剛性を設定することで、インパクト直前のブロー角と方向性を改善できるとしている。
【０００７】
しかしながら、実際のゴルフクラブの打球方向性は、シャフトの捩れ剛性や曲げ剛性のみでなく、ヘッドの諸元物性にも左右される。特に、近年のように、クラブの軽量化とヘッドの大型化が進む傾向のなかでは、ヘッドとの組み合わせにおけるシャフト設計が重要となる。これに対し、前記いずれの従来例も、シャフトの曲げ剛性や捩れ剛性について考慮されているが、ヘッドの諸元物性との組み合わせにおける観点での考慮がなされていない。
【０００８】
【特許文献１】特開平８−１３１５８８号公報
【特許文献２】特開平１１−７６４７９号公報
【発明の開示】
【発明が解決しようとする課題】
【０００９】
本発明は前記問題に鑑みてなされたもので、ヘッドとシャフトとの組み合わせにおいて、軽量性を備えると共に、優れた打球方向性と飛距離が得られるゴルフクラブの提供を課題としている。特に、本発明では、スイング中のヘッドのブレを減少し、インパクト時におけるヘッドのフェース面をタイミング良く返るように安定させ、インパクト時におけるグリップ側の操作性を高めと共に衝撃を抑制してフィーリング性を高めることを課題としている。
【課題を解決するための手段】
【００１０】
前記課題を解決するために、第一の発明として、繊維強化樹脂製のシャフトにヘッドを取り付けたゴルフクラブであって、
前記ヘッドは、その重心位置からシャフト軸線までの距離が３０ｍｍ以上４０ｍｍ未満であり、
前記シャフトは、そのヘッド側先端から長さ方向に４００ｍｍの位置までの捩れ剛性を１．２ｋｇ・ｍｍ２以上３．０ｋｇ・ｍｍ２未満の範囲で分布させ、かつ、グリップ側後端から長さ方向に３００ｍｍの位置までの捩れ剛性を２．５ｋｇ・ｍｍ２以上３．５ｋｇ・ｍｍ２未満の範囲で分布させていることを特徴とするゴルフクラブを提供している。
【００１１】
前記ヘッドの重心位置からシャフト軸線までの距離（以下、重心距離と称す）とは、シャフト軸線の延長線に対して、重心位置から垂線を下した時の垂線の寸法である。
第一の発明のゴルフクラブでは、ヘッドとシャフトの組み合わせにおいて、シャフトの捩れ剛性分布とヘッドの重心距離とを特定して組み合わせ、これにより、インパクト時にヘッドのフェース面がタイミングよく返り、ボールのつかまりを良くして、打球方向性と飛距離を向上させると共に、打球感もソフトで良好なものとしている。
【００１２】
重心距離は、従来は一般的に３５ｍｍ〜５０ｍｍであるが、本発明では該重心距離を小さくし、ヘッド重心位置をシャフト軸線方向へ近接させている。
また、シャフトのヘッド側先端から４００ｍｍの範囲の捩れ剛性を１．２ｋｇ・ｍｍ２以上３．０ｋｇ・ｍｍ２未満と従来よりも捩れ剛性を高めている。
この重心距離を小さくすると共にベッド側の捩れ剛性を高めることで、インパクト時にヘッドのフェース面をタイミングよく返るようにして、ボールへの捕捉性能を高め、ボールが真っすぐに飛ぶようにしている。
一方、グリップ側後端から長さ方向に３００ｍｍの位置までの捩れ剛性を２．５ｋｇ・ｍｍ２以上３．５ｋｇ・ｍｍ２未満と従来よりは捩れ剛性を低めることで、インパクト時におけるグリップ側の操作性を高めると共に衝撃を抑制してフィーリング性を高めている。
【００１３】
また、ヘッドの返りに影響する重心距離（ヘッドの重心位置からシャフト軸線までの距離）を斟酌することにより、シャフトの捩れ剛性の分布を、より精密に無駄なく設計している。これにより、特に繊維強化樹脂製シャフトの場合は、打球方向性および飛距離の向上に効果の少ない箇所のバイアス層や繊維量を削減でき、シャフトの重量増大を抑制することができる。
さらに、余剰となった重量分でヘッドに重量物を装着し、通常のヘッドよりも、ヘッド重心位置とシャフト軸線との距離を近接させることができる。
【００１４】
ヘッドの重心位置からシャフト軸線までの重心距離を３０ｍｍ以上４０ｍｍ未満としているのは、３０ｍｍ未満ではインパクト時にヘッドが返りすぎ、４０ｍｍ以上ではヘッドの返りが遅すぎることに因る。いずれの場合も、ヘッドを最適なタイミングで返らせるためにシャフト先端部の捩れ剛性を高くする必要が生じる。特に、繊維強化樹脂製シャフトの場合は、捩れ剛性を高くするためにバイアス層を増加する必要があるが、その分、ストレート層やフープ層の比率が低下して強度低下を招くこととなるため、捩れ剛性の上限を。３．０ｋｇ・ｍｍ２未満としている。
ヘッドの重心位置からシャフト軸線までの距離は、さらに、３２ｍｍ以上、特に３５ｍｍ以上が好ましい。
【００１５】
シャフトのヘッド側先端から長さ方向に４００ｍｍの位置までの捩れ剛性を１．２ｋｇ・ｍｍ２以上３．０ｋｇ・ｍｍ２未満の範囲に分布させているのは、１．２ｋｇ・ｍｍ２未満では、シャフト先端が捩れ易いために、インパクト時にヘッドの返りが遅く、打球方向性が悪くなる。
一方、３．０ｋｇ・ｍｍ２以上ではシャフト先端が捩れ難いために、打感が硬くなると共に、前記したように、バイアス層の比率増大により強度低下を招くことになる。
このヘッド側先端から長さ方向に４００ｍｍの範囲の捩れ剛性は、さらに、下限は１．４ｋｇ・ｍｍ２、特に１．６ｋｇ・ｍｍ２以上が好ましく、上限は２．８ｋｇ・ｍｍ２未満、特に２．６ｋｇ・ｍｍ２未満が好ましい。
【００１６】
グリップ側の捩れ剛性は従来は３．５ｋｇ・ｍｍ２以上であるが、本発明では、グリップ側後端から長さ方向に３００ｍｍの位置までの捩れ剛性を２．５ｋｇ・ｍｍ２以上３．５ｋｇ・ｍｍ２未満の範囲で分布させ、従来よりは低くしている。
グリップ側の捩れ剛性を前記範囲とているのは、２．５ｋｇ・ｍｍ２未満ではインパクト時に手元で捩れ易く、操作性が悪くなることに因る。一方、３．５ｋｇ・ｍｍ２以上では、手元が硬く感じられ、フィーリングが悪化すると共に、バイアス層の比率増大により強度低下を招くことになる。
このグリップ側後端から長さ方向に３００ｍｍの範囲の捩れ剛性は、さらに、２．７ｋｇ・ｍｍ２以上３．３ｋｇ・ｍｍ２未満、特に、２．８ｋｇ・ｍｍ２以上３．２ｋｇ・ｍｍ２未満が好ましい。
【００１７】
また、第二の発明として、繊維強化樹脂製のシャフトにヘッドを取り付けたゴルフクラブであって、
前記ヘッドは、その左右の慣性モーメントが３０００ｇ・ｃｍ２以上４５００ｇ・ｃｍ２未満であると共に、該ヘッドの体積が３８０ｃｃ以上４６０ｃｃ未満であり、
前記シャフトは、そのヘッド側先端から長さ方向に４００ｍｍの位置までの捩れ剛性を１．２ｋｇ・ｍｍ２以上３．０ｋｇ・ｍｍ２未満の範囲で分布さえ、かつ、グリップ側後端から長さ方向に３００ｍｍの位置までの捩れ剛性を２．５ｋｇ・ｍｍ２以上３．５ｋｇ・ｍｍ２未満の範囲で分布させていることを特徴とするゴルフクラブを提供している。
【００１８】
第二の発明のゴルフクラブでは、ヘッドとシャフトの組み合わせにおいて、シャフトの捩れ剛性分布とヘッドの左右の慣性モーメントとヘッド体積を特定して組み合わせ、これにより、スイング中のヘッドのブレを減少し、インパクト時のヘッドを安定させ、打球方向性および飛距離が向上すると共に、打感も硬すぎず良好なものとしている。
【００１９】
ヘッドの左右の慣性モーメントは、通常は２８００ｇ・ｃｍ２〜３５００ｇ・ｃｍ２であるが、本発明の左右の慣性モーメントは３０００ｇ・ｃｍ２以上４５００ｇ・ｃｍ２未満と大きくしている。また、ヘッド体積は通常２００ｃｃ〜４２０ｃｃであるが、本発明では、３８０ｃｃ以上４６０ｃｃ未満と大きくしている。
シャフトのヘッド側先端から４００ｍｍの範囲の捩れ剛性と、グリップ側後端から３００ｍｍの範囲の捩れ剛性とは、第一の発明と同一範囲としている。
左右の慣性モーメントと体積とを前記範囲に特定したヘッドと、捩れ剛性分布を前記範囲に特定したシャフトとの組み合わせることで、前記したように、スイング中のヘッドのブレを減少させ、インパクト時のヘッドを安定させ、かつ、打球方向性および飛距離を向上させると共に、打感も硬すぎず良好なものとしている。
【００２０】
また、スイング中のヘッドのブレや、インパクト時のヘッドの安定性に影響する、ヘッドの左右の慣性モーメントおよびヘッド体積を考慮することで、シャフトの捩れ剛性分布をより精密に無駄なく設計できる。これにより、特に、繊維強化樹脂製シャフトの場合は、打球方向性および飛距離の向上に効果の少ない箇所のバイアス層や繊維量を削減でき、シャフトの重量増大を抑制することができる。
さらに、余剰となった重量分で、通常のヘッドよりもヘッド体積を大きくし、ヘッドの左右慣性モーメントも大きくすることができる。
【００２１】
ヘッドの左右の慣性モーメントを３０００ｇ・ｃｍ２以上４５００ｇ・ｃｍ２未満とするのは、３０００ｇ・ｃｍ２未満では、インパクト時にヘッドが安定しないために打球方向性も安定しない一方、４５００ｇ・ｃｍ２以上では、ヘッドの返りが遅く、やはり打球方向性が安定しないことに因る。
このヘッドの左右の慣性モーメントは、下限は３３００ｇ・ｃｍ２以上がより好ましく、特に３６００ｇ・ｃｍ２以上が好ましい。上限は４５００ｇ・ｃｍ２未満がより好ましく、特に４５００ｇ・ｃｍ２未満が好ましい。
【００２２】
ヘッド体積を３８０ｃｃ以上４６０ｃｃ未満としているのは、３８０ｃｃ未満ではヘッドの左右慣性モーメントが低く、インパクト時のヘッドの安定性も低くなるうえ、高反発領域も狭くなる。一方、４６０ｃｃ以上では、所定のヘッド重量とするには肉厚が薄くなり、ヘッド割れを起こす恐れがあるためである。
【００２３】
シャフトのヘッド側先端から長さ方向に４００ｍｍの位置までの捩れ剛性分布を１．２ｋｇ・ｍｍ２以上３．０ｋｇ・ｍｍ２未満とし、グリップ側後端から長さ方向に３００ｍｍの位置までの捩れ剛性分布を２．５ｋｇ・ｍｍ２以上３．５ｋｇ・ｍｍ２未満とする理由は、第一の発明で記載したとおりである。
【００２４】
さらに、第三の発明として、繊維強化樹脂製のシャフトにヘッドを取り付けたゴルフクラブであって、
前記ヘッドは、その重心位置からシャフト軸線までの距離が３０ｍｍ以上４０ｍｍ未満で、該ヘッドの左右の慣性モーメントが３０００ｇ・ｃｍ２以上４５００ｇ・ｃｍ２未満で、かつ、該ヘッドの体積が３８０ｃｃ以上４６０ｃｃ未満であり、
前記シャフトは、そのヘッド側先端から長さ方向に４００ｍｍの位置までの捩れ剛性を１．２ｋｇ・ｍｍ２以上３．０ｋｇ・ｍｍ２未満の範囲で分布させ、かつ、グリップ側後端から長さ方向に３００ｍｍの位置までの捩れ剛性を２．５ｋｇ・ｍｍ２以上３．５ｋｇ・ｍｍ２未満の範囲で分布させていることを特徴とするゴルフクラブを提供している。
【００２５】
前記第三の発明のゴルフクラブは、第一の発明と第二の発明のゴルフクラブの両方の特徴を備えたもので、ヘッドは重心距離、体積および左右の慣性モーメントと特定し、シャフトは第一と第二の発明と同様にシャフトのヘッド側とグリップ側の捩れ剛性を特定している。それによって、スイング中のブレを抑制し、インパクト時のヘッドのフェース面をタイミング良く返るようにしてインパクト時の安定性を高め、その結果、ボールが真っすぐに飛ぶようにして、飛行方向と飛距離の向上を図り、かつ、グリップ側では打球時のフィーリングをソフトにしている。
【００２６】
前記ヘッドの重心位置とシャフト軸線との距離（重心距離）を短くする手法として、例えば、ヒール側にネジ穴を設け、該ネジ穴にネジ状の重量物をねじ込んで取り付ける等によりヒール側を重くしている。一方、重心距離を長くする方法としては、例えば、トウ側にネジ穴を設け、該ネジ穴にネジ状の重量物をネジこんで取り付けている。本発明ではヒール側の重量が大きくなる手法を採用して、重心距離を短くしている。
前記ヘッドの左右の慣性モーメントを小さくする手法としては、例えば、ソールあるいはクラウン部の中央部を重くする一方、左右の慣性モーメントを大きくする手法としては、ヒール側あるいはトウ側を重くする方法が採用される。本発明ではヒール側を重くする手法を採用し、左右の慣性モーメントを大きくしている。
【００２７】
シャフトの捩れ剛性を小さくする手法は、シャフト先端側、グリップ側のいずれにおいても、下記の手法を単独あるいは組み合わせている。
１）  当該箇所に、繊維の配向角が±４５度のバイアス層を形成しない。
２）  当該箇所の繊維の配向角を±４５度よりも小さくする、または大きくする。
３）  当該箇所のバイアス補強層の繊維弾性率を低弾性にする。
４）  当該箇所のバイアス補強層の繊維目付け量を小さくする。
５）  当該箇所のバイアス補強層の樹脂含有率を大きくする。
【００２８】
一方、シャフトの捩れ剛性を大きくする手法は、シャフト先端側、グリップ側のいずれにおいても、下記の手法を単独あるいは組み合わせている。
１）  当該箇所のバイアス補強層の繊維弾性率を高弾性にする。
２）  当該箇所のバイアス補強層の繊維目付け量を大きくする。
３）  当該箇所のバイアス補強層の樹脂含有率を小さくする。
【００２９】
シャフト長さは、４４インチ以上４６．５インチ未満が好ましい。これは、４４インチ未満のシャフトでは、ヘッドスピードが上がらないため飛距離が伸びず、４６．５インチ以上では、長すぎて振りづらく、ヘッドセンターでのミート率も下がり、飛距離ロスを生じやすいことに因る。
【００３０】
本発明のゴルフクラブは、ウッド型ヘッド、特にドライバーヘッドのような大型ヘッドを備えたゴルフクラブに好適に適用できるが、ヘッド構成については特に限定されず、本体とフェースパーツからなる２ピース構造、本体とフェースパーツおよびクラウンパーツからなる３ピース構造、本体とフェースパーツ、クラウンパーツおよびホーゼルパーツとからなる４ピース構造などに適用できる。これらのパーツは、鋳造、鍛造、プレスフォーミングまたはこれらの組み合わせ等によって成形され、溶接、溶着、ロウ付け、拡散接合等によって一体化される。
ヘッドの構成材料についても特に限定されず、チタン合金、アルミニウム合金、ステンレス、マグネシウム合金等の金属材料や繊維強化樹脂等を使用することができる。
【００３１】
本発明を適用しうるシャフト構成については、軽量性と設計自由度の高さから繊維強化樹脂製シャフトが好ましく、シートワインディング製法、フィラメントワインディング製法、内圧成型法等によって成形することができる。
【００３２】
繊維強化樹脂の強化繊維は、比重が小さく弾性率と強度が高いという点からカーボン繊維が好ましいが、その他、一般に高性能強化繊維として使用される繊維が用いられる。例えば、黒鉛繊維、アラミド繊維、炭化ケイ素繊維、アルミナ繊維、ボロン繊維、ガラス繊維等が挙げられる。
前記繊維強化樹脂に用いられる樹脂としては、熱硬化性樹脂、熱可塑性樹脂等が挙げられるが、強度と剛性の点より、熱硬化性樹脂が好ましく、特にエポキシ系樹脂が好ましい。
【００３３】
前記熱硬化性樹脂としては、エポキシ系樹脂、不飽和ポリエステル系樹脂、フェノール系樹脂、メラミン系樹脂、ユリア系樹脂、ジアリルフタレート系樹脂、ポリウレタン系樹脂、ポリイミド系樹脂、ケイ素樹脂等が挙げられる。
前記熱可塑性樹脂としては、ポリアミド樹脂、飽和ポリエステル系樹脂、ポリカーボネート系樹脂、ＡＢＳ樹脂、ポリ塩化ビニル系樹脂、ポリアセタール系樹脂、ポリスチレン系樹脂、ポリエチレン系樹脂、ポリ酢酸ビニル系樹脂、ＡＳ樹脂、メタクリル樹脂、ポリプロピレン樹脂、フッ素樹脂等が挙げられる。
【発明の効果】
【００３４】
上述したように、第一発明のゴルフクラブは、ヘッドの重心位置からシャフト軸線までの距離、即ち、重心距離を考慮して、シャフトの捩れ剛性を分布することにより、シャフトの重量増大を抑制しながら、ヘッドをタイミングよく返らせてボールを真っすぐに飛ばすことができる。その結果、打球方向の安定性と飛距離を効率よく向上させることができ、かつ、グリップ側の捩れ剛性を適性範囲とすることで打感もソフトで良好なものとすることができる。
【００３５】
また、第二の発明のゴルフクラブでは、ヘッドの左右の慣性モーメントおよびヘッド体積と、シャフトの捩れ剛性とを組み合わせることで、シャフトの重量増大を抑制しながら、スイング中のブレを無くし、インパクト時のヘッドの安定性を高め、打球方向の安定性と飛距離を効率よく向上でき、かつ、グリップ側の捩れ剛性を適性範囲とすることで、打感もソフトで良好なものとすることができる。
【発明を実施するための最良の形態】
【００３６】
以下、発明の実施形態を図面を参照して説明する。
図１乃至図５は、本発明の第一実施形態に係るゴルフクラブ１０を示す。
このゴルフクラブ１０は、繊維強化プリプレグ２１〜２８の積層体からなるテーパー状の長尺な管状体よりなるシャフト１１と、該シャフトのヘッド側先端１２に取り付けられたウッド型ヘッド１４と、グリップ側後端１３に取り付けられたグリップ１５とからなる。
シャフト１１にヘッド１４とグリップ１５を取り付けた状態で、クラブ長さを４５インチ（１１４．３ｍｍ）としている。シャフト１１は、全長を１１２０ｍｍとし、重量を４６ｇとしている。
【００３７】
前記ヘッド１４は、図２に示すように、ホーゼル部１４ａ、フェース部１４ｂ、クラウン部１４ｃ、ソール部１４ｄ、サイドヒール部１４ｅ、サイドトウ部１４ｆおよびバック部１４ｇとを有する中空構造よりなり、６ＡＬ−４Ｖチタン製の３ピース構造としている。
このヘッド１４は、体積を４００ｃｃとし、総重量は、後述の重量物１６を含めて２９５ｇとしている。
【００３８】
前記ヘッド１４の中空内のサイドヒール部１４ｅ側には、図３（Ａ）に示すように、重量２０ｇの重量物１６を装着している。
詳細には、図３（Ｂ）に示すように、ヘッド１４の重心位置１４Ｇからホーゼル孔１４ｈに装着するシャフト１１の軸線１７までの距離Ｌ（重心距離Ｌ）が３３ｍｍとなるように、重量物１６を装着している。
【００３９】
前記シャフト１１は、図４に示すように、カーボン繊維を引き揃えて樹脂を含浸させた繊維強化製のプリプレグ２１〜２８をシートワインディング製法により製造している。
即ち、前記プリプレグ２１〜２８をマンドレル２０に順次、内周側から巻きつけて積層した後、ポリエチレンテレフタレート樹脂製等のテープ（図示せず）でラッピングし、これをオーブン中で加熱加圧し樹脂を硬化させて一体的に成形し、マンドレル２０を引き抜いてシャフト１１を製造している。シャフト１１の表面は研磨を行った後、両端をカットして塗装している。
【００４０】
前記繊維強化プリプレグ２１〜２８はいずれも、強化繊維Ｆ２１〜Ｆ２８にエポキシ樹脂を含浸してなるが、前記樹脂にはエポキシ樹脂以外の熱硬化性樹脂を使用してもよい。
詳しくは、繊維強化プリプレグ２１は、長さを２００ｍｍとし、幅をヘッド側で３回巻きする幅とし、シャフト１１のヘッド側先端領域の補強層を構成している。強化繊維Ｆ２１はシャフト軸線に対してなす配向角を０°とし、引張弾性率を２４ｔ／ｍｍ２とし、繊維目付け量を１２５ｇ／ｍ２としている。
【００４１】
繊維強化プリプレグ２２は、長さをシャフト１１の全長にわたる長さとし、幅をヘッド側で６回巻き、グリップ側で１．５回巻きする幅としている。強化繊維Ｆ２２は、シャフト軸線に対してなす配向角を−４５°とし、引張弾性率を４０ｔ／ｍｍ２とし、繊維目付け量を７５ｇ／ｍ２としている。
【００４２】
繊維強化プリプレグ２３は、長さをシャフト全長にわたる長さとし、幅をヘッド側で６５回巻き、グリップ側で１．５回巻きする幅としている。強化繊維Ｆ２３は、シャフト軸線に対してなす配向角を＋４５°とし、引張弾性率を４０ｔ／ｍｍ２とし、繊維目付け量を７５ｇ／ｍ２としている。
【００４３】
繊維強化プリプレグ２４は、長さを３５０ｍｍとし、幅をグリップ側で１回巻きする幅とし、シャフト１１のグリップ側後端領域の補強層を構成している。強化繊維Ｆ２４はシャフト軸線に対してなす配向角を０°とし、引張弾性率を３０ｔ／ｍｍ２とし、繊維目付け量を１２５ｇ／ｍ２としている。
【００４４】
プリプレグ２５〜２７はいずれも、長さをシャフト全長にわたる長さとし、幅を１回巻きする幅としている。強化繊維Ｆ２５〜Ｆ２７は、シャフト軸線に対してなす配向角を０°とし、引張弾性率を３０ｔ／ｍｍ２とし、繊維目付け量を１００ｇ／ｍ２としている。
【００４５】
プリプレグ２８は、長さを２５０ｍｍとし、幅をヘッド側で６回巻きする幅とし、シャフト１１のヘッド側先端領域の補強層を構成している。強化繊維Ｆ２８はシャフト軸線に対してなす配向角を０°とし、引張弾性率を２４ｔ／ｍｍ２とし、繊維目付け量を１２５ｇ／ｍ２としている。
【００４６】
この繊維強化プリプレグ２１〜２８の積層体からなるシャフト１１は、図５に示すように、ヘッド側先端１２から長さ方向に４００ｍｍの位置までの捩れ剛性を１．２ｋｇ・ｍｍ２〜２．４ｋｇ・ｍｍ２の範囲で分布させ、グリップ側後端１３から長さ方向に３００ｍｍの位置までの捩れ剛性を２．５ｋｇ・ｍｍ２〜３．５ｋｇ・ｍｍ２の範囲で分布させている。
【００４７】
前記構成のゴルフクラブ１０は、ヘッド１４の重心距離Ｌが２５ｍｍ以上４０ｍｍ未満の範囲内であり、適度に近接させているため、インパクト時にヘッド１４のフェース面がタイミングよく返り、ゴルフボールを正確にとらえ、その結果、真っすぐに飛ばして、打球方向性および飛距離を安定させることができる。
また、ヘッド１４の体積は３８０ｃｃ以上４６０ｃｃ未満の範囲内であり、比較的大型であるため、ヘッド１４の高反発エリアが大きくなると共に、ヘッド１４の左右の慣性モーメントは３１５０ｇ・ｃｍ２に設定され、３０００ｇ・ｃｍ２以上４５００ｇ・ｃｍ２未満の範囲内であるため、インパクト時にヘッド１４が安定し、これらの点からも、打球方向性および飛距離を向上させることができる。
【００４８】
さらに、シャフト１１の捩れ剛性は、ヘッド側先端１２から長さ方向に４００ｍｍの位置までの捩れ剛性分布を１．２ｋｇ・ｍｍ２以上３．０ｋｇ・ｍｍ２未満の範囲内とし、グリップ側後端１３から長さ方向に３００ｍｍの位置までの捩れ剛性分布を２．５ｋｇ・ｍｍ２以上３．５ｋｇ・ｍｍ２未満の範囲内としているため、捩れすぎず、かつ、硬すぎず、打球方向性と飛距離が向上すると共に、打球感覚もソフトで良好となる。
【００４９】
さらにまた、シャフト１１の捩れ剛性分布は、ヘッド１４の重心位置１４Ｇを考慮することにより、極力過不足なく適切に設計できるため、不必要にバイアス層比率やバイアス層の繊維目付け量を増やすことなく、重量増大を抑制でき、ヘッド１４に２０ｇの前記重量物１６を装着してもゴルフクラブ１０の軽量性を維持できる。
【００５０】
図６は、本発明の第二実施形態を示す。第二実施形態は、シャフト１１の捩れ剛性分布とヘッド１４の体積が第一実施形態と相違するが、その他の構成は第一実施形態と同一である。
【００５１】
詳しくは、シャフト１１の内側から二層目を構成する繊維強化プリプレグ２２は、シャフト全長に配置され、幅をヘッド側で６回巻きし、グリップ側で２回巻きする幅としているが、ヘッド側先端部に配置される長さ４００ｍｍのプリプレグ２２Ａと、残るグリップ側後端１３までの領域に配置されるプリプレグ２２Ｂとに二分割され、それぞれ特性を異ならせている。
【００５２】
具体的には、各プリプレグ２２Ａ、２２Ｂの強化繊維Ｆ２２ａ、Ｆ２２ｂは、いずれもシャフト軸線に対してなす配向角を−４５°としているが、強化繊維Ｆ２２ａは、引張弾性率を４０ｔ／ｍｍ２、繊維目付け量を１００ｇ／ｍ２とし、強化繊維Ｆ２２ｂは、引張弾性率を３０ｔ／ｍｍ２、繊維目付け量を７５ｇ／ｍ２としている。
【００５３】
また、シャフト１１の内側から三層目を構成する繊維強化プリプレグ２３も、シャフト全長に配置され、幅をヘッド側で６回巻きし、グリップ側で２回巻きする幅としているが、ヘッド側先端部に配置される長さ４００ｍｍのプリプレグ２３Ａと、残るグリップ側後端１３までの領域に配置されるプリプレグ２３Ｂとに二分割され、それぞれ特性を異ならせている。具体的には、各プリプレグ２３Ａ、２３Ｂの強化繊維Ｆ２３ａ、Ｆ２３ｂは、いずれもシャフト軸線に対してなす配向角を＋４５°としているが、強化繊維Ｆ２３ａは、引張弾性率を４０ｔ／ｍｍ２、繊維目付け量を１００ｇ／ｍ２とし、強化繊維Ｆ２３ｂは、引張弾性率を３０ｔ／ｍｍ２、繊維目付け量を７５ｇ／ｍ２としている。
【００５４】
これにより、シャフト１１のヘッド側先端１２から長さ方向に４００ｍｍの位置までの捩れ剛性を１．５ｋｇ・ｍｍ２〜３．０ｋｇ・ｍｍ２の範囲に分布させ、グリップ側後端１３から長さ方向に３００ｍｍの位置までの捩れ剛性を２．５ｋｇ・ｍｍ２〜３．０ｋｇ・ｍｍ２の範囲に分布させ、先端部のみを前記第一実施形態に比して、僅かながら剛性分布を高めているためている。その結果、打球方向性を一層安定させ、飛距離も伸ばすことができるようにしている。
【００５５】
ヘッド１４は、体積を４０６ｃｃとし、重心距離Ｌを３５ｍｍとしている。
これにより、第二実施形態においても、ヘッド体積は３８０ｃｃ以上４６０ｃｃ未満の範囲内であり、重心距離Ｌは２５ｍｍ以上４０ｍｍ未満の範囲内であるため、フェース面のスイートエリアで正確にボールを捕らえるミート率が高まり、ヘッドの返りも良く、打球方向性と飛距離が安定すると共に、フィーリングも良好となる。
【００５６】
（実施例）
以上のことを確認するために、本発明のゴルフクラブの実施例１〜実施例４および比較例１〜３について詳述する。
【００５７】
以下の表１に示すとおり、ヘッドの重心距離Ｌ、ヘッド体積、左右の慣性モーメント、シャフトのヘッド側先端から４００ｍｍの位置までの捩れ剛性分布、シャフトのグリップ側後端から３００ｍｍの位置までの捩れ剛性分布とを異ならせた実施例１〜４と、比較例１〜３を作製した。これらゴルフクラブのそれぞれの飛距離および打球方向性を測定するとともに、フィーリングについて実打テストを行い、その結果を表１に表した。
【００５８】
【表１】
2007135811.tif 000003
【００５９】
（捩れ剛性分布の測定）
シャフトの捩れ剛性分布の測定は、シャフト１１の長手方向の複数位置における捩れ剛性（ＧＩ）を測定して行った。具体的には、図７に示すように、１００ｍｍ間隔を介したシャフト１１上の２箇所をエアチャック方式のチャック３０、３１により所定の圧力でチャックし、該チャック３０、３１間に１３．９（ｋｇｆ・ｃｍ）の捩りモーメントを加え、チャック３０、３１間の捩れ角度ｆを測定した。
測定点Ｐはチャック３０、３１間の中点とし、該測定点Ｐをシャフト長手方向に２５ｍｍピッチでずらしながら、各測定点Ｐの捩り角度ｆを測定し、下記の数式により捩れ剛性（ＧＩ）を計算した。
【００６０】
（捩れ剛性分布の計算）
ＧＩ＝［チャック間隔（１００ｍｍ）］×［捩りモーメント（１３．９ｋｇｆ・ｃｍ）］／［捩り角度ｆ（度）］
【００６１】
（左右の慣性モーメントの測定）
図８に示すように、ＩＮＥＲＴＩＡ  ＤＹＮＡＭＩＣＳ  Ｉｎｃ社製のＭＯＭＥＮＴ  ＯＦ  ＭＥＡＳＵＲＩＮＧ  ＩＮＳＴＲＵＭＥＮＴのＭＯＤＥＬ  ＮＯ．００５−００２からなる測定器を用いて測定している。即ち、前記測定器１００の上面から突出させた回転軸１０１の上端の載置台１０２上に粘度１０３を搭載し、この粘度１０２の上面にヘッド１４をライ角どうりに載置すると共に、ヘッドの重心位置の軸線と回転軸１０１の軸線と一致させて載置している。この状態で、回転軸１０１を正方向と逆方向に回転させてヘッド１４も正方向と逆方向とに回転させ、左右の慣性モーメントを測定している。
【００６２】
実施例１および比較例１〜４のいずれも、シャフトの製法、ヘッドの形状および材質を前記実施形態と同一とした。いずれもシャフト長さを１１２０ｍｍとした。
【００６３】
（実施例１）
シャフトの繊維強化プリプレグ２１〜２８の積層構成、捩れ剛性分布、ヘッドの重心距離Ｌ、ヘッド体積、慣性モーメントの全てを第一実施形態と同一とした。
具体的には、シャフトのヘッド側先端から４００ｍｍの位置までの捩れ剛性は、最大値が１．７ｋｇ・ｍｍ２、最小値を１．２ｋｇ・ｍｍ２とし、平均値を１．５ｋｇ・ｍｍ２とした。グリップ側後端から長さ方向に３００ｍｍの位置までの捩れ剛性は最大値を３．２ｋｇ・ｍｍ２、最小値を２．８ｋｇ・ｍｍ２とし、平均値は３．０ｋｇ・ｍｍ２とした。
また、ヘッド体積は４００ｃｃ、慣性モーメントは３１５０ｇ・ｃｍ２とし、ヘッドのサイドヒール部側に２０ｇの重量物を装着して重心距離Ｌを３３ｍｍとした。
【００６４】
（実施例２）
シャフトの繊維強化プリプレグ２１〜２８の積層構成、捩れ剛性分布、ヘッドの重心距離Ｌ、ヘッド体積の全てを第二実施形態と同一とした。
具体的には、シャフトのヘッド側先端から４００ｍｍの位置までの捩れ剛性は、最大値を２．２ｋｇ・ｍｍ２、最小値を１．６ｋｇ・ｍｍ２とし、平均値を１．８ｋｇ・ｍｍ２とした。グリップ側後端から長さ方向に３００ｍｍの位置までの捩れ剛性は最大値を３．３ｋｇ・ｍｍ２、最小値を２．９ｋｇ・ｍｍ２とし、平均値は３．２ｋｇ・ｍｍ２とした。
また、ヘッド体積は４０６ｃｃ、慣性モーメントは３２００ｇ・ｃｍ２とし、ヘッドのサイドヒール部側に２０ｇの重量物を装着して重心距離Ｌを３５ｍｍとした。
【００６５】
（実施例３）
シャフトを構成する各繊維強化プリプレグ２１〜２８のうち、バイアス層を構成するプリプレグ２２（２２Ａ、２２Ｂ）とプリプレグ２３（２３Ａ、２３Ｂ）について、巻き数、繊維の引張弾性率および繊維目付け量を実施例２と異ならせたが、その他の積層構成は実施例２と同一とした。
【００６６】
具体的には、繊維強化プリプレグ２２は、シャフト全長に配置され、幅をヘッド側で６回巻きし、グリップ側で１．５回巻きする幅としているが、ヘッド側先端部に配置される長さ４００ｍｍのプリプレグ２２Ａと、残るグリップ側後端１３までの領域に配置されるプリプレグ２２Ｂとに二分割した。各プリプレグ２２Ａ、２２Ｂの強化繊維Ｆ２２ａ、Ｆ２２ｂは、いずれもシャフト軸線に対してなす配向角を−４５°としているが、強化繊維Ｆ２２ａは、引張弾性率を４０ｔ／ｍｍ２、繊維目付け量を１２５ｇ／ｍ２とし、強化繊維Ｆ２２ｂは、引張弾性率を３０ｔ／ｍｍ２、繊維目付け量を７５ｇ／ｍ２とした。
【００６７】
また、繊維強化プリプレグ２３も、シャフト全長に配置され、幅をヘッド側で６回巻きし、グリップ側で１．５回巻きする幅としているが、ヘッド側先端部に配置される長さ４００ｍｍのプリプレグ２３Ａと、残るグリップ側後端までの領域に配置されるプリプレグ２３Ｂとに二分割した。各プリプレグ２３Ａ、２３Ｂの強化繊維Ｆ２３ａ、Ｆ２３ｂは、いずれもシャフト軸線に対してなす配向角を＋４５°としているが、強化繊維Ｆ２３ａは、引張弾性率を４０ｔ／ｍｍ２、繊維目付け量を１２５ｇ／ｍ２とし、強化繊維Ｆ２３ｂは、引張弾性率を３０ｔ／ｍｍ２、繊維目付け量を７５ｇ／ｍ２とした。
【００６８】
これにより、シャフトのヘッド側先端から４００ｍｍの位置までの捩れ剛性は、最大値を２．６ｋｇ・ｍｍ２、最小値を１．７ｋｇ・ｍｍ２とし、平均値を２．２ｋｇ・ｍｍ２とした。グリップ側後端から長さ方向に３００ｍｍの位置までの捩れ剛性は最大値を３．３ｋｇ・ｍｍ２、最小値を２．８ｋｇ・ｍｍ２とし、平均値は３．２ｋｇ・ｍｍ２とした。
また、ヘッド体積は４５０ｃｃ、慣性モーメントは３２００ｇ・ｃｍ２とし、ヘッドのサイドヒール部側に２０ｇの重量物を装着して重心距離Ｌを３７ｍｍとした。
【００６９】
（実施例４）
シャフトを構成する各繊維強化プリプレグ２１〜２８のうち、バイアス層を構成するプリプレグ２２（２２Ａ、２２Ｂ）とプリプレグ２３（２３Ａ、２３Ｂ）について、繊維の引張弾性率および繊維目付け量を実施例２と異ならせたが、その他の積層構成は実施例２と同一とした。
【００７０】
具体的には、繊維強化プリプレグ２２は、シャフト全長に配置され、幅をヘッド側で６回巻きし、グリップ側で２回巻きする幅としているが、ヘッド側先端部に配置される長さ４００ｍｍのプリプレグ２２Ａと、残るグリップ側後端までの領域に配置されるプリプレグ２２Ｂとに二分割した。各プリプレグ２２Ａ、２２Ｂの強化繊維Ｆ２２ａ、Ｆ２２ｂは、いずれもシャフト軸線に対してなす配向角を−４５°としているが、強化繊維Ｆ２２ａは、引張弾性率を５０ｔ／ｍｍ２、繊維目付け量を１００ｇ／ｍ２とし、強化繊維Ｆ２２ｂは、引張弾性率を３０ｔ／ｍｍ２、繊維目付け量を７５ｇ／ｍ２とした。
また、繊維強化プリプレグ２３は、シャフト全長に配置され、幅をヘッド側で５回巻きし、グリップ側で２回巻きする幅としているが、ヘッド側先端部に配置される長さ４００ｍｍのプリプレグ２３Ａと、残るグリップ側後端までの領域に配置されるプリプレグ２３Ｂとに二分割した。各プリプレグ２３Ａ、２３Ｂの強化繊維Ｆ２３ａ、Ｆ２３ｂは、いずれもシャフト軸線に対してなす配向角を＋４５°としているが、強化繊維Ｆ２３ａは、引張弾性率を５０ｔ／ｍｍ２、繊維目付け量を１００ｇ／ｍ２とし、強化繊維Ｆ２３ｂは、引張弾性率を３０ｔ／ｍｍ２、繊維目付け量を７５ｇ／ｍ２とした。
【００７１】
これにより、シャフトのヘッド側先端から４００ｍｍの位置までの捩れ剛性は、最大値を３．０ｋｇ・ｍｍ２、最小値を２．５ｋｇ・ｍｍ２とし、平均値を２．８ｋｇ・ｍｍ２とした。グリップ側後端から長さ方向に３００ｍｍの位置までの捩れ剛性は最大値を３．３ｋｇ・ｍｍ２、最小値を２．８ｋｇ・ｍｍ２とし、平均値は３．２ｋｇ・ｍｍ２とした。
また、ヘッド体積は４５５ｃｃ、慣性モーメントは４３００ｇ・ｃｍ２とし、ヘッドのサイドヒール部側に２０ｇの重量物を装着して重心距離Ｌを３９ｍｍとした。
【００７２】
（比較例１）
比較例１のシャフトは前記第一実施形態の構成とし、ヘッド側先端から４００ｍｍの位置までの捩れ剛性分布を低く、グリップ側後端から３００ｍｍの位置までの捩れ剛性分布を高く設定した。また、ヘッド体積を小さくした。
具体的には、シャフトを構成する繊維強化プリプレグ２１〜２８のうち、バイアス層を構成するプリプレグ２２、２３を、ヘッド側で４回巻きし、グリップ側で４回巻きして積層した。繊維の引張弾性率や目付け量を含め、その他の積層構成は実施例１（第一実施形態）と同一とした。
また、シャフトを構成する繊維強化プリプレグ２１〜２８のうち、プリプレグ２２、２３の強化繊維の引張弾性率を４０ｔ／ｍｍ２、繊維目付け量を７５ｇ／ｍ２とした。
これにより、シャフトのヘッド側先端から４００ｍｍの位置までの捩れ剛性は、最大値を１．２ｋｇ・ｍｍ２、最小値を０．８ｋｇ・ｍｍ２とし、平均値を１．０ｋｇ・ｍｍ２とした。グリップ側後端から長さ方向に３００ｍｍの位置までの捩れ剛性は最大値を４．１ｋｇ・ｍｍ２、最小値を３．９ｋｇ・ｍｍ２とし、平均値は４．０ｋｇ・ｍｍ２とした。
また、ヘッド体積は３５０ｃｃ、慣性モーメントは２８００ｇ・ｃｍ２とし、ヘッドのサイドヒール部側に５ｇの重量物を装着して重心距離Ｌを２８ｍｍとした。
【００７３】
（比較例２）
比較例２は第二実施形態の構成とし、シャフトを構成する繊維強化プリプレグ２１〜２８のうち、プリプレグ２２、２３の強化繊維２２ａ、強化繊維２３ａの引張弾性率を４０ｔ／ｍｍ２、繊維目付け量を７５ｇ／ｍ２とし、強化繊維２２ｂ、２３ｂの引張弾性率を４０ｔ／ｍｍ２、繊維目付け量を１００ｇ／ｍ２とし、比較例１よりもさらに、グリップ側後端から３００ｍｍの位置までの捩れ剛性分布を高く設定した。また、ヘッドの重心距離Ｌを長く、ヘッド体積と慣性モーメントを大きく設定した。
【００７４】
これにより、シャフトのヘッド側先端から４００ｍｍの位置までの捩れ剛性は、最大値を１．２ｋｇ・ｍｍ２、最小値を０．８ｋｇ・ｍｍ２とし、平均値を１．０ｋｇ・ｍｍ２とした。グリップ側後端から長さ方向に３００ｍｍの位置までの捩れ剛性は最大値を４．７ｋｇ・ｍｍ２、最小値を４．３ｋｇ・ｍｍ２とし、平均値は４．５ｋｇ・ｍｍ２とした。
ヘッド体積は５００ｃｃ、慣性モーメントは４６００ｇ・ｃｍ２とした。また、ヘッドのサイドヒール部側に１０ｇの重量物を装着し、サイドトウ部寄りの位置に５ｇの重量物を装着して、重心距離Ｌを４５ｍｍとした。
【００７５】
（比較例３）
比較例３は第二実施形態の構成とし、前記各実施例に比して、ヘッド側先端から４００ｍｍの位置までの捩れ剛性分布を高く、グリップ側後端から３００ｍｍの位置までの捩れ剛性分布を低く設定した。また、ヘッド体積は大きく、慣性モーメントは小さく、重心距離Ｌは長く設定した。
【００７６】
具体的には、シャフトを構成する繊維強化プリプレグ２１〜２８のうち繊維強化プリプレグ２２は、シャフト全長に配置され、幅をヘッド側で６回巻きし、グリップ側で１．５回巻きする幅としているが、ヘッド側先端部に配置される長さ４００ｍｍのプリプレグ２２Ａと、残るグリップ側後端１３までの領域に配置されるプリプレグ２２Ｂとに二分割した。各プリプレグ２２Ａ、２２Ｂの強化繊維Ｆ２２ａ、Ｆ２２ｂは、いずれもシャフト軸線に対してなす配向角を−４５°としているが、強化繊維Ｆ２２ａは、引張弾性率を５０ｔ／ｍｍ２、繊維目付け量を７５ｇ／ｍ２とし、強化繊維Ｆ２２ｂは、引張弾性率を３０ｔ／ｍｍ２、繊維目付け量を７５ｇ／ｍ２とした。
また、繊維強化プリプレグ２３も、シャフト全長に配置され、幅をヘッド側で６回巻きし、グリップ側で１．５回巻きする幅としているが、ヘッド側先端部に配置される長さ４００ｍｍのプリプレグ２３Ａと、残るグリップ側後端までの領域に配置されるプリプレグ２３Ｂとに二分割した。各プリプレグ２３Ａ、２３Ｂの強化繊維Ｆ２３ａ、Ｆ２３ｂは、いずれもシャフト軸線に対してなす配向角を＋４５°としているが、強化繊維Ｆ２３ａは、引張弾性率を５０ｔ／ｍｍ２、繊維目付け量を７５ｇ／ｍ２とし、強化繊維Ｆ２３ｂは、引張弾性率を３０ｔ／ｍｍ２、繊維目付け量を７５ｇ／ｍ２とした。
その他のプリプレグの積層構成は実施例２〜４と同一とした。
【００７７】
これにより、シャフトのヘッド側先端から４００ｍｍの位置までの捩れ剛性は、最大値を３．８ｋｇ・ｍｍ２、最小値を３．１ｋｇ・ｍｍ２とし、平均値を３．５ｋｇ・ｍｍ２とした。グリップ側後端から長さ方向に３００ｍｍの位置までの捩れ剛性は最大値を２．５ｋｇ・ｍｍ２、最小値を１．９ｋｇ・ｍｍ２とし、平均値は２．２ｋｇ・ｍｍ２とした。
また、ヘッド体積は４９０ｃｃ、慣性モーメントは２８５０ｇ・ｃｍ２とし、ヘッドのソール部中央に１５ｇの重量物を装着して重心距離Ｌを４８ｍｍとした。
【００７８】
（飛距離の測定）
プレーヤー２０名が２０球ずつ打撃し、打撃位置からの飛距離を実測し、２０名分の平均値を表１に示した。
（打球方向性の測定）
プレーヤー２０名が２０球ずつ打撃し、目標飛球線からのズレ距離を実測し、２０名分のズレ距離の平均が１０ヤード未満の場合は○を、１０ヤード以上の場合は×を表１に示した。
（フィーリングテスト）
プレーヤー２０名が２０球ずつ打撃し、打球フィーリングについて５点満点の官能評価を行い、その平均を表１に示した。
【００７９】
表１の結果から分かるように、実施例１〜４はいずれも、打球方向性が安定し、飛距離も大きく、フィーリング結果も高評価となった。
一方、比較例１〜３は、打球方向性、飛距離、フィーリング結果のいずれも良くない結果となった。
【００８０】
これは、比較例１については、ヘッド体積が３６０ｃｃ未満で、慣性モーメントが３０００ｇ・ｃｍ２未満であるために、ヘッドの高反発エリアが小さくなったうえ、インパクト時のヘッドの安定性が低くなったことと、シャフト先端側の捩れ剛性が１．２ｋｇ・ｍｍ２未満であったために、インパクト時に捩れ易くなったことと、グリップ側の捩れ剛性３．５ｋｇ・ｍｍ２以上であったために、手元で硬く感じられたことに因ると考えられる。
【００８１】
比較例２については、重心距離Ｌが４０ｍｍ以上であるうえ、シャフト先端側の捩れ剛性が１．２ｋｇ・ｍｍ２未満であり、慣性モーメントが４５００ｇ・ｃｍ２以上であるために、インパクト時にヘッドが返らず、球の捉えが悪くなったことと、グリップ側の捩れ剛性が３．５ｋｇ・ｍｍ２以上であったために、手元で硬く感じられたことに因ると考えられる。
【００８２】
比較例３については、重心距離Ｌが４０ｍｍ以上であったためにインパクト時にヘッドが返らず、慣性モーメントが３０００ｇ・ｃｍ２未満であったためにヘッドが安定せず、シャフト先端側の捩れ剛性が３．０ｋｇ・ｍｍ２以上であったために、打感が硬く感じられたことに因ると考えられる。
【図面の簡単な説明】
【００８３】
【図１】本発明の第一実施形態に係るゴルフクラブの概略図である。
【図２】図１に示すヘッドを示す拡大斜視図である。
【図３】（Ａ）はヘッドの平面図であり、（Ｂ）は図２のIII−III線断面図である。
【図４】図１に示すシャフトの繊維強化プリプレグの積層構造を示す図である。
【図５】図１に示すシャフトの捩れ剛性分布を示すグラフである。
【図６】本発明の第二実施形態に係るシャフトの繊維強化プリプレグの積層構造を示す図である。
【図７】シャフトの捩れ剛性の測定方法を示す図である。
【図８】ヘッドの左右慣性モーメントの測定方法を示す図である。
【図９】従来例の図である。
【符号の説明】
【００８４】
１０  ゴルフクラブ
１１  シャフト
１２  ヘッド側先端
１３  グリップ側後端
１４  ヘッド
１４Ｇ  ヘッド重心位置
１８  シャフト軸線
２１〜２８  繊維強化プリプレグ
Ｆ２１〜Ｆ２８  強化繊維
Ｌ  重心距離
【図１】
2007135811.tif 000004
【図２】
2007135811.tif 000005
【図３】
2007135811.tif 000006
【図４】
2007135811.tif 000007
【図５】
2007135811.tif 000008
【図６】
2007135811.tif 000009
【図７】
2007135811.tif 000010
【図８】
2007135811.tif 000011
【図９】
2007135811.tif 000012